(57)【要約】短脚又は長脚のブリーフとして作られ、柔軟なベルト、パネル（Ａ）、正面外側インサート（Ｂ）及び正面内側インサート（Β’）を備え、ペニス用の離隔したスペースを備えた男性用ブリーフであって、ここで、ペニス用の離隔した前記スペースは、正面外側インサート（Ｂ）及び正面内側インサート（Ｂ’）により形成され；前記インサート（Ｂ）及び（Β’）は、男性用ブリーフを形成するように前記パネル（Ａ）及び適宜の部分（３）に接合自在であり、ここで、正面内側インサート（Β’）は、正面外側インサート（Ｂ）と同じ形状及び寸法を有する。正面内側インサート（Β’）は、それぞれ湾曲した縁（１７）及び縁（１８）を有する２個の重複する縫付け部分（Ｃ）及び（Ｄ）から形成され、前記湾曲した縁（１７）及び（１８）は、ペニスを前記離隔したスペースへ挿入するための円形の調整可能なオリフィス（１９）を形成する。オリフィス（１９）は、ブリーフの正中線の脇に位置し、前記調整可能なオリフィス（１９）がペニスが離隔したスペースから抜けるのを防止するように取り囲む。調整可能なオリフィス（１９）は、正面内側インサート（Β’）をブリーフ正中線の周りに１８０°回転させることによりブリーフ正中線の右脇又は左脇に位置する。付加的に、縁（１７）及び（１８）は、ペニスを調整自在に取り囲むための弾性手段を有し、本発明の一実施態様によれば、弾性手段は、前記手段（２１）により締め付けることができる。【選択図】図６
2013532779.tif 000002
【特許請求の範囲】
【請求項１】
柔軟なベルト、パネル（Ａ）、正面外側インサート（Ｂ）及び正面内側インサート（Β’）で短脚又は長脚のブリーフとして作られる、ペニス用の離隔したスペースを備えた男性用ブリーフであって、
ペニス用の離隔した前記スペースは、正面外側インサート（Ｂ）及び正面内側インサート（Ｂ’）により形成され、
前記インサート（Ｂ）及び（Β’）は、前記パネル（Ａ）及び適宜の部分（３）へ男性用ブリーフを形成するように接合自在であり、正面内側インサート（Β’）は、正面外側インサート（Ｂ）と同じ形状及び寸法を有し、
正面内側インサート（Β’）は、それぞれ湾曲した縁（１７）及び縁（１８）を有する２個の重複する縫付け部分（Ｃ）及び（Ｄ）から形成され、前記湾曲した縁（１７）及び（１８）は、ペニスを前記離隔したスペースへ挿入するための円形の調整可能なオリフィス（１９）を形成し、該調整可能なオリフィス（１９）は、ブリーフの正中線の脇に位置し、前記調整可能なオリフィス（１９）が、ペニスが離隔したスペースから抜けるのを防止するように取り囲むことを特徴とする、前記男性用ブリーフ。
【請求項２】
前記調整可能なオリフィス（１９）は、正面内側インサート（Β’）をブリーフ正中線の周りに１８０°回転させることによってブリーフ正中線の右脇又は左脇に位置することを特徴とする、請求項１に記載の男性用ブリーフ。
【請求項３】
前記縁（１７）及び（１８）は、ペニスを調整自在に取り囲むための弾性手段を有することを特徴とする、請求項１に記載の男性用ブリーフ。
【請求項４】
前記弾性手段は、前記手段（２１）により締め付けられることを特徴とする、請求項３に記載の男性用ブリーフ。
【発明の詳細な説明】
【技術分野】
【０００１】
本発明は、男性の下着に関し、特にペニスを睾丸から物理的に離隔するために前部の内側に別のスペース（ｓｅｐａｒａｔｅ  ｓｐａｃｅ）を有する男性のショーツに関する。それは、国際特許分類Ａ４１Ｂ９／０２に分類される。
【背景技術】
【０００２】
ペニス及び睾丸は常時接触しているが、それは衛生上及び健康上の観点から良くない。これらの器官は、その位置のせいで常に発汗にさらされる。特に、悪影響は排尿後に残る尿のしたたりに由来する。さらに、ペニスは、常時の接触及び摩擦によって睾丸を暖めるが、それは男性不妊症の原因の一つである。体にぴったりくっついたブリーフは、また、ペニス及び睾丸の不快な抑制を引き起こす。
【発明の開示】
【発明が解決しようとする課題】
【０００３】
本発明によって解決される技術的課題は、ペニスを睾丸から物理的に離隔し、抜け落ちる位置（ｆａｌｌｉｎｇ  ｐｏｓｉｔｉｏｎ）に睾丸を常時留め、ペニス及び睾丸の抑制を最小限にする男性用ブリーフのデザインに関する。
【０００４】
現在、脚付又は脚無しで、体にくっつくようにあるいはくっつかないように作られた公知の男性用ブリーフのデザインがたくさん存在する。上記課題は、既存のすべてのブリーフデザインに顕在し、なぜなら、それらはペニスを収容するための別のスペースを持たないからである。
【課題を解決するための手段】
【０００５】
ＷＯ２００９１４７４５８Ａ１は、最も近い従来技術であり、ペニス用の別のスペースを備えた男性のブリーフを開示し、ここでペニス用の別のスペースは、ブリーフの正中線（ｂｒｉｅｆ  ｍｉｄｌｉｎｅ）に対して対称的に位置する大きなＵ字形開口を有する。別のスペースは、継ぎ目６及び４によって２個の物理的に離隔したスペースからなる。このようにして、別のスペース７が提供される。本発明は、ペニス用に１個の別のスペースを有する男性用ブリーフを開示する。本発明とＷＯ２００９１４７４５８Ａ１との別の相違点は、ペニスを収容するための開口の形状にある。本発明によれば、開口は、ペニスが離隔したスペースから抜けるのを防止するようにペニスを取り囲むような円形様の形状を有し、さらに、本発明は、ペニスを調整自在に締めるための弾性手段を備える。さらに、本発明の利点は、オリフィスが、消費者の好みに応じて、ブリーフの正中線から左又は右脇に位置することである。
【０００６】
１個のスペースがすべてのコンセプトの要求を満たし、さらに製作を簡略化し、よって製作コストを下げるので、２個の別のスペースの必要がない。Ｕ字形開口では、使用時にペニスが別のスペースから抜け落ちる、パンツによってもたらされるペニスへの圧迫等の一定の欠陥が示されている。２個の重複部分で形成される内部インサート（ｉｎｎｅｒ  ｉｎｓｅｒｔ）とともに約１．５〜２．００ｃｍだけ左又は右に移動した上記オリフィスを持った本発明は、ペニスの取り囲み（ｅｎｃｉｒｃｌｉｎｇ）をより健康的、衛生的かつ快適な方法で提供する。したがって、本発明によるブリーフは、より好ましい。一般的知識の問題として、ペニスは、自然に若干、左側又は右側を向く。本発明は、そのような自然な位置をパンツによりもたらされるいかなる圧迫を回避しながら提供する。一方、重複した内部インサートは、特に、長く継続して座った状態でブリーフの別のスペースからペニスが抜け落ちるのを防止する。
【０００７】
本発明によれば、ペニスのための別のスペースを持った男性用ブリーフは、極めて経済的かつさまざま実施態様で製造でき、男性の健康を目的とする、下着の極めて有用な部分を作り出す。それは、以前から公知のこの種のブリーフに対して本質的な改善を含む。
【図面の簡単な説明】
【０００８】
【図１】図１は、ブリーフの裏及び側方（ｂａｃｋ  ａｎｄ  ｓｉｄｅ）のパネルＡを示す。
【図２】図２は、正面外側インサート（ｆｒｏｎｔ  ｏｕｔｅｒ  ｉｎｓｅｒｔ）Ｂを示す。
【図３】図３は、ブリーフの外側正面図（ｏｕｔｅｒ  ｆｒｏｎｔ  ｖｉｅｗ）を示す。
【図４】図４は、内側パネル（ｉｎｎｅｒ  ｐａｎｅｌ）の一部Ｃの図を示す。
【図５】図５は、内側パネルの一部Ｄの図を示す。
【図５ａ】図５ａは、本発明の一実施態様に従う正面内側インサート（ｆｒｏｎｔ  ｉｎｎｅｒ  ｉｎｓｅｒｔ）Ｂ’の図を示す。
【図５ｂ】図５ｂは、本発明のもう一つの実施態様に従う正面内側インサートＢ’の図を示す。
【図６ａ】図６ａは、本発明の一実施態様に従うブリーフの内側正面側（ｉｎｎｅｒ  ｆｒｏｎｔ  ｓｉｄｅ）の図を示す。
【図６ｂ】図６ｂは、本発明のもう一つの実施態様に従うブリーフの内側正面側の図を示す。
【発明を実施するための形態】
【０００９】
本発明の本質は、前部の内側に位置するペニスのための別のスペースを持った男性用ブリーフである。
【００１０】
ペニス用の離隔したスペースを備えた男性用ブリーフは、柔軟なベルト、パネル、正面外側インサート及び正面内側インサートで短脚又は長脚のブリーフとして作られ、ペニス用の離隔したスペースは、正面外側インサート及び正面内側インサートによって形成され、前記正面外側インサート及び正面内側インサートは、前記パネル及び適宜の部分へ男性用ブリーフを形成するように接合自在であり、正面内側インサートは、正面外側インサートと同じ形状及び寸法を有する。正面内側インサートは、湾曲した縁を有する２個の重複する縫付け部分から形成され、湾曲した縁は、前記離隔したスペースへペニスを挿入するための円形の調整可能なオリフィスを形成する。調整可能なオリフィスは、ブリーフの正中線の脇に位置し、前記調整可能なオリフィスがペニスが離隔したスペースから抜けるのを防止するように取り囲む。調整可能なオリフィスは、正面内側インサートをブリーフ正中線の周りに１８０°回転させることによってブリーフ正中線の右脇又は左脇に位置する。前記縁は、付加的に、ペニスを調整自在に取り囲むための弾性手段（ｅｌａｓｔｉｃ  ｍｅａｎｓ）を有し、本発明の一実施態様によれば、前記弾性手段は、ブリーフの外側で前記手段により締め付けることができる。ペニスを入れるための開口の形状及びそれが作られる高さは、ブリーフ着用時にペニスをその別のスペースに円滑に入れられるように調整される。こうして、睾丸は、その正常位置に留まり、常時、ペニスから物理的に離隔される。
【００１１】
以下に、添付の図面を用いて発明を詳細に説明する。
【００１２】
図１〜３、５ａ及び５ｂを参照すると、ペニス用の離隔したスペースを備えた男性用ブリーフは、柔軟なベルト、パネル（Ａ）、正面外側インサート（Ｂ）及び正面内側インサート（Β’）で短脚又は長脚のブリーフとして作られ、ここで、ペニス用の離隔した前記スペースは、正面外側インサート（Ｂ）及び正面内側インサート（Ｂ’）により形成され、前記インサート（Ｂ）及び（Β’）は、前記パネル（Ａ）及び適宜の部分（３）へ男性用ブリーフを形成するように接合可能であり、ここで、正面内側インサート（Β’）は、正面外側インサート（Ｂ）と同じ形状及び寸法を有する。正面内側インサート（Β’）は、それぞれ湾曲した縁１７及び縁１８を有する２個の重複する縫付け部分（Ｃ）及び（Ｄ）から形成され、前記湾曲した縁１７及び１８は、ペニスを前記離隔したスペースへ挿入するための円形の調整自在のオリフィス１９を形成する。本発明の一実施態様に従う図５ａ及び５ｂに図示されるように、（Ｃ）及び部分（Ｄ）並びにブリーフの他の部分をさらに変更することなく、部分（Ｃ）が部分（Ｄ）にあるいは部分（Ｄ）が部分（Ｃ）に重複することが規定される。図６ａ及び図６ｂは、調整可能なオリフィス（１９）が、ブリーフの正中線の脇に位置し、前記調整可能なオリフィス１９が、ペニスが離隔したスペースから抜けるのを防止するように取り囲むことを図示する。調整可能なオリフィス（１９）は、正面内側インサート（Β’）をブリーフ正中線の周りに１８０°回転させることによりブリーフ正中線の右脇又は左脇に位置する。付加的に、縁１７及び１８は、ペニスを調整自在に取り囲むための弾性手段を有し、本発明の一実施態様によれば、前記弾性手段は、前記手段（２１）により締め付けられる。
【００１３】
図４及び５に示すように、正面内側インサート（Β’）は、互いに縫いつけられた縁５と１１、縁６と１３，縁８と１６及び縁９と１２を持つ二つの部分（Ｃ）及び（Ｄ）で形成され、湾曲した縁１７及び縁１８は、前記離隔したスペースへペニスを挿入するための円形の調整可能なオリフィス１９を形成し、オリフィス（１９）は、ブリーフの正中線の脇に位置し、前記調整可能なオリフィスが、ペニスが離隔したスペースから抜けるのを防止するように取り囲む。図５ａ及び図５ｂを参照すると、正面内側インサート（Β’）は、少なくとも縁（７）及び縁（１４）、並びに縁（８）及び縁（１５）を縁（１６）へ縫い付けることを介して、外側パネル（Ａ）の内側及び正面外側インサート（Ｂ）と縫い付けられる。さらに、インサートＢ及びＢ’は、縁（６と１３）、（１０と４）、（１１と５）及び（８と１５）により外側パネル（Ａ）へ接合される。外側パネル（Ａ）は、ブリーフの裏側、側方、及び一部の正面を構成する。外側パネル（Ａ）は、ワンピースに仕立てることができ、ワンピースは、正面パネル（３）の一部を含む。外側パネル（Ａ）のデザインの一定の改善は、本発明の範囲に影響を与えることなく可能であることは当業者に自明である。例えば、外側パネルＡを、ワンピースより多い生地で仕立てることができる（例えば部分（３）はブリーフの分離部分であり得る）。
【００１４】
本発明に従うペニス用の別のスペースを有する男性用ブリーフは、衛生上及び健康上の特性並びに身体的不快感に関する現在のブリーフのカッティングの欠陥を排除する。ペニスのための別のスペースは、正面外側インサートと正面内側インサートとの間のブリーフ正面部内側に位置決めされる。上記したブリーフの実施態様によって睾丸を両足の間の正常位置に留めることができ、別のスペース内に位置決めされたペニスから物理的に離隔し、その結果、ペニスが睾丸を押圧し、暖め、擦ることのいずれもしない。体の動き及び位置にかかわらず、ペニスは、常時、本発明の本質及び機能を十分に満足する別のスペースに留まる。ペニススペースの位置及び幅は、ブリーフ全体及び各部の種類、形状、カッティング及びデザインに対して調整される。しかし、離隔したペニス収容スペースの機能は、未変化のまま維持される。
【００１５】
当業者は、ブリーフデザインが与えられれば、本発明の精神を逸脱することなく、離隔されたペニススペースのデザインの一定の改変が可能であることが自明であることをわかるであろう。
【符号の説明】
【００１６】
詳細な説明及び図面に使用した符号は、以下の意味を有する：
Ａ  −ブリーフの裏及び側方パネル（ｂａｃｋ  ａｎｄ  ｓｉｄｅ  ｐａｎｅｌ）
Ｂ  −正面外側インサート（ｆｒｏｎｔ  ｏｕｔｅｒ  ｉｎｓｅｒｔ）
Ｂ’−正面内側インサート（ｆｒｏｎｔ  ｉｎｎｅｒ  ｉｎｓｅｒｔ）
Ｃ  −内側パネルの一部分
Ｄ  −内側パネルの一部分
１  −パネルＡの縁
２  −インサートＢの縁
３  −正面パネルの適宜の部分
４  −縁１０に縫い付けられる縁
５  −縁１１に縫い付けられる縁
６  −縁１３に縫い付けられる縁
７  −外側パネルの内側に縫い付けられるに縁
８  −縁１６に縫い付けられる縁
９  −縁１２に縫い付けられる縁
１０−縁４に縫い付けられる縁
１１−縁５に縫い付けられる縁
１２−縁９に縫い付けられる縁
１３−縁６に縫い付けられる縁
１４−外側パネルの内部の縁に縫い付けられる縁  
１５−縁１６に縫い付けられる縁
１６−縁８及び１５とともに縫い付けられる縁  
１７−湾曲した縁
１８−湾曲した縁
１９−開口
２０−継ぎ目（ｓｅａｍ）
２１−開口１９の調整に適する手段
【図１】
2013532779.tif 000003
【図２】
2013532779.tif 000004
【図３】
2013532779.tif 000005
【図４】
2013532779.tif 000006
【図５】
2013532779.tif 000007
【図５ａ】
2013532779.tif 000008
【図５ｂ】
2013532779.tif 000009
【図６ａ】
2013532779.tif 000010
【図６ｂ】
2013532779.tif 000011
【国際調査報告】
2013532779.tif 000012
2013532779.tif 000013
2013532779.tif 000014